(57)【要約】【課題】  引出し等の前面板に取付ける金属製把手であって、指先を引っ掛けたり指で掴持した際に、金属特有の冷触感を殆ど感じさせることなく、引出し等を円滑に開放し得るようにする。【解決手段】  金属製の把手は、前方に向かって平面弓形形状に湾曲した手掛部１と、この手掛部１の両端に後方に向かって突設した取付座部２とからなり、上記手掛部１の後面を後方に向かって凸円弧状に湾曲した湾曲面に形成して指先を屈折させた際にその湾曲面に沿うようすると共にこの湾曲面に手掛部１の長さ方向に長い複数条の断面半円形状の突条３を上下方向に小間隔毎に突設して指先がこれらの突条３の頂面にのみ、接触、掛止させるようにし、金属面との接触面積を少なくして冷触感を殆ど感じさせないように構成している。【選択図】    図７
2008073411.tif 000002
【特許請求の範囲】
【請求項１】
扉や引出し等の前面板に取付けられて使用される金属製把手であって、上下端面間の幅が全長に亘って一定幅に形成されている一定長さを有する手掛部と、この手掛部の長さ方向の両端から後方に向かって突設して上記扉や引出し等の前面板に取付けられる取付座部とからなり、前面板に対向する手掛部の後面を上下幅方向に凸円弧状に湾曲した湾曲面に形成していると共にこの凸円弧状に湾曲した該手掛部後面に上記両取付座部間に亘って手掛部の長さ方向に平行に複数条の突条を手掛部の幅方向に小間隔毎に突設していることを特徴とする金属製把手。
【請求項２】
突条はその幅が0.5 〜1.0mm で且つ半径が0.25〜0.5mm の断面半円形状に形成されていると共に隣接する突条間の間隔を1.5 〜3.0mm に形成してことを特徴とする請求項１に記載の金属製把手。
【請求項３】
手掛部は長さ方向の両端から中央部に向かって凸円弧状に湾曲した平面弓形形状に形成していることを特徴とする請求項１に記載の金属製把手。
【発明の詳細な説明】
【技術分野】
【０００１】
本発明は、家具を構成する扉や引出し等の前面板に取付けられる金属製把手の改良に関するものである。
【背景技術】
【０００２】
従来から扉や引出し等の開閉を容易にするための把手としては、種々の材質からなるものが知られているが、優れた強度を有し且つ高級感をかもし出すには、アルミやステンレス等の金属製の把手が使用されている。また、その形状も様々なものが知られているが、開閉時における指の引っ掛かりや指先による掴持を確実にして開閉操作が円滑に行えるようにするには、例えば、特許文献１に記載されているように、前方に向かった凸円弧状に湾曲した一定幅と長さを有する手掛部の両端に取付座部を形成してなるものが広く使用されている。そして、その取付座部を扉や引出し等の前面板にネジ等によって固着することによって手掛部の後面と前面板間に数本の指先が容易に挿入することができる空間部を設け、この手掛部を指で掴持したり該手掛部の後面に指先を引っかけて開放操作を行えるように構成している。
【特許文献１】実開平６−２４１６４公報
【発明の開示】
【発明が解決しようとする課題】
【０００３】
しかしながら、アルミやステンレス等の金属製の把手は、扉や引出し等を開放する際にその後面に指先を引っかけると、金属の冷たさやベタツキのような密着感が指先に与えられて不快な手触り感が発生し、特に、冬場においてはこのような不快感が大きくなるといった問題がある。また、把手の手掛部に対する握り易さを考慮して、該手掛部の後面を幅方向に凸円弧状に湾曲した湾曲面に形成することが行われているが、このように形成した場合には、指との接触面積が更に増大して上記のような冷触感等の不快感が一層大きくなるといった問題点があった。
【０００４】
本発明はこのような問題点に鑑みてなされたもので、その目的とするところは、金属製であるにもかかわらず、手掛部に指先を引っ掛けたり手掛部を指で掴持した際における金属特有の冷触感や密着感を殆ど感じさせることがなく、その上、指先の引っ掛かりを確実にして扉等の開放操作が円滑に行えるようにした金属製把手を提供するにある。
【課題を解決するための手段】
【０００５】
上記目的を達成するために、本発明の金属製把手は、請求項１に記載したように、扉や引出し等の前面板に取付けられて使用される金属製把手であって、上下端面間の幅が全長に亘って一定幅に形成されている一定長さを有する手掛部と、この手掛部の長さ方向の両端から後方に向かって突設して上記扉や引出し等の前面板に取付けられる取付座部とからなり、前面板に対向する手掛部の後面を上下幅方向に凸円弧状に湾曲した湾曲面に形成していると共に、この凸円弧状に湾曲した該手掛部後面に上記両取付座部間に亘って手掛部の長さ方向に平行に複数条の突条を手掛部の幅方向に小間隔毎に突設した構造を有している。
【０００６】
このように構成した金属製把手において、請求項２に係る発明は、上記突条をその幅が0.5 〜1.0mm で且つ半径が0.25〜0.5mm の断面半円形状に形成していると共に隣接する突条間の間隔を1.5 〜3.0mm に形成してことを特徴とし、請求項３に係る発明は、上記手掛部をその長さ方向の両端から中央部に向かって凸円弧状に湾曲した平面弓形形状に形成していることを特徴とする。
【発明の効果】
【０００７】
本発明の金属製把手によれば、扉や引出し等の前面板に対向する把手における手掛部の後面を上下幅間に亘って後方に向かって凸円弧状に湾曲した湾曲面に形成しているので、指先との接触面積が広くなって指先の掛止や指による掴持が確実に行えると共に凸円弧状湾曲面が指先の屈折に沿った状態となって、該湾曲面に指先を全面的に均等に接触、掛止させることができ、従って、引出し等の引出し操作が円滑に行うことができる。
【０００８】
さらに、この凸円弧状湾曲面に、該湾曲方向に直交する方向、即ち、手掛部の長さ方向に平行に両端取付座部間に亘って長い複数条の突条を手掛部の幅方向に小間隔毎に突設しているので、手掛部の後面に指先を引っ掛けた時に、指先が該後面の凸円弧状湾曲面に全面的に接触するようなことはなく、複数状の突条の頂部のみに接触するものであるから、手掛部の後面を幅方向に凸円弧状に湾曲した面積の広い湾曲面に形成しているにもかかわらず、指先の接触面積が極めて小さくなって金属製把手特有の冷たさ感や密着感等の不快感を殆ど感じさせない程度にまで緩和することができて快適な使用を可能にし得るものであり、その上、指先が上記突条に直交する方向に掛止するので、掛止力が増大して扉や引出し等の開放操作が円滑に行うことができる。また、突条を手掛部の前面に設けることなく裏面のみに設けているので、これらの突条は外部からは殆ど直視することができず、光沢のある平滑な金属面を前面にして意匠的にも優れた外観を呈することができる。
【０００９】
また、請求項２に係る発明によれば、上記把手における手掛部の後面に設けている複数状の突条を、その幅が0.5 〜1.0mm で且つ半径が0.25〜0.5mm の断面半円形状に形成していると共に隣接する突条間の間隔を1.5 〜3.0mm に形成しているので、隣接する突条間の溝部に塵等の汚れが溜まっても、容易に拭き取ることができるのは勿論、手掛部の後面に指先を引っ掛けた時に、該指先が突条間の溝部の表面に接触するようなことはなく、全ての突条の頂部にのみ接触した状態にすることができて手掛部後面に対する指先の接触面積を著しく減少させることができ、従って、金属製把手から受ける冷触感を低減させることができる。その上、各突条の断面を半円形状に形成しているので、手掛部の後面に指先を引っ掛けた際に指先に痛みを与えるようなことはなく、扉や引出し等の開閉操作が軽快に行うことができる。
【００１０】
さらに、請求項３に係る発明によれば、上記手掛部を長さ方向の両端から中央部に向かって凸円弧状に湾曲した形状に形成しているので、全体が弓形形状の体裁のよい外観を呈すると共に、その手掛部の後面と扉や引出し等の前面板との間の空間部を広くすることができて、指の挿入、掛止が容易に行うことができる。
【発明を実施するための最良の形態】
【００１１】
次に、本発明の具体的な実施の形態を図面について説明すると、図１は本発明金属製把手の斜視図、図２は平面図、図３は背面部であって、把手はアルミダイキャストやステンレス等からなる金属製であり、上下端面間の幅が全長に亘って一定幅に形成され、且つ、前後面間の厚みも全長に亘って一体厚みに形成されている所定長さを有する棒状の手掛部１と、この手掛部１の長さ方向の両端から後方に向かって突設している短尺の取付座部２とからなるもので、手掛部１は両端の取付座部２、２から前方に向かって緩やかな凸円弧状に湾曲してなる平面弓形形状に形成されてあり、その前面1aは全長に亘って平滑な垂直面に形成されている一方、後面1bは図４に示すように、上下端面1c、1dから上下幅方向の中央部にゆくに従って後方に向かって凸円弧状に湾曲した湾曲面に形成されている。
【００１２】
さらに、手掛部１における上下幅方向に凸円弧状に湾曲している上記後面1bに、上記両端の取付座部２、２間に亘って、手掛部１の長さ方向に平行な複数条の断面半円形状の突条３、３・・・３を上下幅方向に小間隔毎に互いに平行に突設している。また、手掛部１の両端に設けている上記取付座部２、２は、一定高さ（17mm程度の高さ）を有するブロック形状に形成されていると共にその後端面は垂直な取付座面2aに形成されてあり、この取付座面2aから前方に向かって一定深さのネジ穴４を設けている。
【００１３】
手掛部１の具体的な形状としては、例えば、その上下端面1c、1d間の幅を15mmに形成していると共に長さ方向の湾曲度を230 〜400mm の曲率半径となるように形成してあり、さらに、上下幅方向に湾曲した後面1bは、7.5 〜10mmの半径を有する湾曲面に形成されている。なお、この後面1bの湾曲度が半径7.5mm 以下であると、後面1bが丸棒の表面のように大きく湾曲して指先がその上下幅方向の中央部にしか引っ掛からなくなる虞れがあり、10mm以上になると、後面1bが平板に近い形状となって、指先６（図６、図７に示す）が手掛部１の上下端部に集中的に引っ掛かって掛止感が悪くなるので、指先６を自然に屈折した時の形態に沿うように、7.5 〜10mmの半径を有する湾曲面に形成して指先６を手掛部１の後面1bに上下幅方向に全面的に均一に当接、係止させるようにしている。
【００１４】
また、この上下幅方向に凸円弧状に湾曲した手掛部１の後面1bに突設している上記複数条の突条３は、幅が0.5 〜1.0mm で且つ半径が0.25〜0.5mm の断面半円形状に形成されている。この突条３の半径が0.25mmよりも小さいと、指先６が突条３の表面全面に引っ掛かって金属の冷たさが大きく感じられることになり、1.0mm よりも大きくなると、指先６が接触する突条３の頂部の面積が広くなって同様に冷触感が生じることになるので、上述したように突条３を0.25〜0.5mm の半径を有する断面半円形状に形成している。
【００１５】
さらに、隣接する突条３、３間の間隔、即ち、突条３のピッチを1.5 〜3.0mm に形成して、該突条３の半径を上記のように0.25〜0.5mm としていることと相まって指先６を手掛部１の後面1bに掛止させた時に指先６が突条３、３間に深く食い込むことなく突条３の頂部にのみ接触するように構成している。また、上記突条３、３間の間隔が狭すぎると突条３、３間の溝部５に汚れ等が溜まりやすくなる上にその汚れの清掃、除去が困難となり、広すぎると指先６との接触面積が増して冷触感が生じることになるので、上述したように、1.5 〜3.0mm の間隔毎に設けている。
【００１６】
なお、突条３を凸円弧状に湾曲した手掛部１の後面1b全面に上下方向に小間隔毎に設けておいてもよいが、後面1bにおける外部から直視し易い３〜６mm程度の上下幅を有する上下端部を突条３が設けられていない平滑な湾曲金属面としておく望ましい。このように形成しておくことによって、突条３が外部から見えにくくなると共に、把手の手掛部１における前面1aから後面1bの上下端部に亘って露呈している平滑な金属面特有の光沢によって意匠的効果が増大すると共に高級感をかもし出すことができる。
【００１７】
このように構成した把手は図５に示すように、例えば、家具の引出し７の前面板7aに取付けられて該引出し７の開閉に使用されるものであり、引出し７の開放時には図６、図７に示すように、指先６を把手の手掛部１の後面1bと引出し７の前面板7aとの間の空間に挿入して上述したように手掛部１の後面1bに突設している複数条の突条３、３に引っ掛け、この状態にして把手を手前に引き寄せることにより引出し７の開放操作を行う。
【００１８】
以上の実施の形態においては、把手の手掛部１を前方に向かって平面弓形形状に湾曲させているが、図８、図９に示すように、手掛部1'を真っ直ぐな棒状形状に形成しておいてもよい。この手掛部1'の両端に取付座部２、２を一体に設けている点や、手掛部1'の後面1bを後方に向かって凸円弧状に湾曲した湾曲面に形成し、この後面1bに手掛部1'の長さ方向に平行に複数条の突条３、３を手掛部1'の上下幅方向に小間隔毎に突設している点等のその他の構成については上記実施の形態と同じであるので、同一部分には同一符号を付して詳細な説明を省略する。
【図面の簡単な説明】
【００１９】
【図１】本発明金属製把手の斜視図。
【図２】その平面図。
【図３】背面図。
【図４】手掛部の拡大縦断面図。
【図５】引出しに取付けた状態の一部を切除した簡略斜視図。
【図６】把手に指先を引っ掛けた状態の斜視図。
【図７】その縦断側面図。
【図８】本発明金属製把手の別な実施の形態を示す平面図。
【図９】その背面図。
【符号の説明】
【００２０】
１  手掛部
1a  前面
1b  後面
２  取付座部
３  突条
【図１】
2008073411.tif 000003
【図２】
2008073411.tif 000004
【図３】
2008073411.tif 000005
【図４】
2008073411.tif 000006
【図５】
2008073411.tif 000007
【図６】
2008073411.tif 000008
【図７】
2008073411.tif 000009
【図８】
2008073411.tif 000010
【図９】
2008073411.tif 000011